(57)【要約】【課題】厚みの薄い小径記録媒体からの情報を確実に読み出すことができる情報処理装置を提供する。【解決手段】プレーヤ装置は機器本体と搬送ユニットを備えている。搬送ユニットは機器本体の内外に搬送されるＢＤの移動方向を案内するディスクガイド１７とディスクガイド１７との間にＢＤを挟んで当該ＢＤを機器本体の内外に搬送する搬送ローラを備えている。ディスクガイド１７は機器本体に取り付けられる本体部３６と本体部３６から凸でかつ機器本体の幅方向の両端部から中央部に向うにしたがって本体部３６からの突出量が少なく形成されたガイドリブ３７とを備えている。ガイドリブ３７は機器本体内の正規の位置に位置付けられた小径ＢＤの外縁と当接するとともに緩やか部４０よりもＢＤの表面に対する傾きが大きく形成された最傾部３９を備えている。【選択図】図６
2010225256.tif 000002
【特許請求の範囲】
【請求項１】
互いに外径の異なる大径記録媒体と小径記録媒体とのうちいずれかを収容する機器本体と、
前記機器本体の内外に搬送される前記いずれかの記録媒体の移動方向を案内するディスクガイドと、
前記ディスクガイドとの間に前記いずれかの記録媒体を挟んで、当該記録媒体を前記機器本体の内外に搬送する搬送ローラと、を備えた情報処理装置において、
前記ディスクガイドは、
前記機器本体に取り付けられる平板状の本体部と、
前記本体部から前記搬送ローラに向って凸で、かつ前記機器本体の幅方向に沿って直線状に延在しているとともに、前記機器本体の幅方向の両端部から中央部に向うにしたがって前記本体部からの突出量が少なく形成されたガイドリブと、を備え、
前記ガイドリブは、前記機器本体内の正規の位置に位置付けられた小径記録媒体の外縁と当接するとともに、他の部分よりも前記記録媒体の表面に対する傾きが大きく形成された最傾部を備えたことを特徴する情報処理装置。
【請求項２】
前記ディスクガイドは、前記ガイドリブよりも前記機器本体の外側寄りに配置され、かつ、前記機器本体の幅方向の両端部から中央部に向うにしたがって前記本体部からの突出量が徐々に少なくなるように形成された第２ガイドリブを備えたことを特徴とする請求項１記載の情報処理装置。
【発明の詳細な説明】
【技術分野】
【０００１】
本発明は、例えば、Blu-ray Discなどの記録媒体から情報を読み出す情報処理装置に関する。
【背景技術】
【０００２】
移動体としての自動車のインストルメントパネル（以下インパネと呼ぶ）に取り付けられて、ＣＤ（Compact Disk）やＤＶＤ（Digital Versatile Disc）などの記録媒体から情報を読み出す情報処理装置（例えば、特許文献１参照）として、例えば、外径が１２ｃｍの大径記録媒体と外径が８ｃｍの小径記録媒体などの大きさの異なる記録媒体が選択されて挿入されて、当該記録媒体の情報を読み出す情報処理装置が用いられている。
【０００３】
この種の情報処理装置は、前記インパネに取り付けられる機器本体と、前記機器本体に開口した記録媒体挿入口と、搬送ユニットと、機器本体内に設けられかつ記録媒体をクランプして当該記録媒体から情報を読み出すクランプ再生機構と、連動機構を備えている。機器本体は、複数の板金などが互いに組み付けられて箱状のシャーシを備えている。記録媒体挿入口は、内側に前記ＣＤが通される。
【０００４】
搬送ユニットは、記録媒体挿入口内を通されたＣＤを所定の再生位置まで搬送したり、前記再生位置からＣＤを記録媒体挿入口まで搬送して該ＣＤを機器本体内から排出する。搬送ユニットは、機器本体に取り付けられたディスクガイド１００（図１に例示する）と、機器本体に取り付けられたローラアームと、搬送ローラとを備えている。
【０００５】
図１に例示されたディスクガイド１００は、前述した記録媒体との摩擦係数の低い合成樹脂で構成され、かつ機器本体に固定される平板状の本体部１０１と、この本体部１０１から前記搬送ローラに向って凸に形成されたガイドリブ１０２とを一体に備えている。本体部１０１は、その両表面が前記記録媒体の表面と平行に配置される。
【０００６】
ガイドリブ１０２は、機器本体の幅方向に沿って直線状に延在しており、前記機器本体の幅方向の両端部から中央部に向うにしたがって前記本体部からの突出量が徐々に減少するように形成されている。
【０００７】
ローラアームは、板金などで構成され、その平面形状が帯板状に形成されている。ローラアームは、ディスクガイド１００と間隔をあけて配置され、かつその長手方向が機器本体の幅方向と平行に配置されている。ローラアームは、当該ローラアームの幅方向の一端部を中心として回転自在に機器本体に支持されている。ローラアームは、当該ローラアームの幅方向の他端部がディスクガイド１００に近づく方向に付勢されている。
【０００８】
搬送ローラは、円柱状に形成され、その長手方向が機器本体の幅方向と平行な状態で、ローラアームの他端部に回転自在に支持されている。搬送ローラは、駆動源としてのモータの回転駆動力によりその軸芯周りに回転される。搬送ローラは、前記モータなどの駆動源によって回転駆動されることによって、ディスクガイド１００との間に挟んだ記録媒体を機器本体の内外に搬送する。搬送ユニットは、ディスクガイド１００のガイドリブ１０２により当該記録媒体を機器本体の幅方向の中央部に案内しながら、ディスクガイド１００と搬送ローラとの間に記録媒体を挟んで、当該記録媒体を機器本体の内外に搬送する。
【０００９】
クランプ再生手段は、ゴムやダンパなどの弾性部材により機器本体に対して移動自在に設けられたキャリッジシャーシと、このキャリッジシャーシに一端部を中心として回転自在に設けられたクランプアームとを備えている。
【００１０】
キャリッジシャーシは、回転自在に設けられたターンテーブルと、ターンテーブルを前述した記録媒体とともに回転させるスピンドルモータと、前述した記録媒体に記録された情報を読み取る光ピックアップが設けられている。
【００１１】
クランプアームは、その他端部にキャリッジシャーシに設けられたターンテーブルとの間に記録媒体を挟むためのクランパを設けているとともに、当該他端部がキャリッジシャーシに接離自在となるように、一端部を中心として回転自在にキャリッジシャーシに設けられている。
【００１２】
クランプ再生手段は、互いに近づいたキャリッジシャーシのターンテーブルとクランプアームのクランパとの間に、搬送ユニットにより正規の再生位置まで搬送されてきた記録媒体を挟みこんで、光ピックアップが当該記録媒体から情報を読み出す。
【００１３】
連動手段は、搬送手段のディスクガイド１００と搬送ローラとが互いに離れると、クランプ再生手段のキャリッジシャーシのターンテーブルとクランパとが互いに近づき、搬送手段のディスクガイド１００と搬送ローラとが互いに近づくと、クランプ再生手段のキャリッジシャーシのターンテーブルとクランパとが互いに離れるように、搬送手段とクランプ再生手段とを連動させる。
【００１４】
情報処理装置は、機器本体内に記録媒体を収容する際には、連動手段がクランプ再生手段のキャリッジシャーシのターンテーブルとクランパとの間に記録媒体が位置すると、これらを互いに近づけてこれらの間に記録媒体をクランプするとともに、搬送手段のディスクガイド１００と搬送ローラとを互いに遠ざける。そして、情報処理装置は、ターンテーブルとクランパとの間に記録媒体をクランプして、ターンテーブルが記録媒体を回転させて光ピックアップが記録媒体から情報を読み出す。また、情報処理装置は、機器本体外に記録媒体を排出する際には、連動手段がクランプ再生手段のキャリッジシャーシのターンテーブルとクランパとを互いに離した後に、搬送手段のディスクガイド１００と搬送ローラとを互いに近づけてこれらの間に記録媒体を挟んで、当該記録媒体を搬送手段により機器本体外に排出する。
【先行技術文献】
【特許文献】
【００１５】
【特許文献１】特開２００２−３２９３６１号公報
【発明の概要】
【発明が解決しようとする課題】
【００１６】
前述した情報処理装置には、例えば、ＢＤ（Blu-ray Disc）などの新規のフォーマットで情報などを記録した記録媒体の情報を読み出すことが求められる。このＢＤは、正規の記録媒体であっても、多種多様な厚みのものが用いられて、ＣＤ、ＤＶＤに比べて正規品の厚みの範囲が広くなっている。このため、前述した情報処理装置の搬送ユニットは、ＣＤ、ＤＶＤに比べて厚みの範囲が広いＢＤであっても、前述した大径記録媒体及び小径記録媒体の双方を確実に正規の再生位置まで搬送できることが求められる。
【００１７】
しかしながら、前述したＢＤは、正規品であってもＣＤ、ＤＶＤに比べて厚みの範囲が広くなっているので、前述した従来の情報処理装置では、特に厚みの薄いＢＤの小径記録媒体を機器本体外から再生位置に向かって搬送した際に、再生位置の近傍に位置付けられると小径記録媒体の外縁がディスクガイド１００のガイドリブ１０２に接触して挟まれる力が弱くなり、外部からの振動等によっては当該ＢＤの小径記録媒体を正規の再生位置に位置付けることが困難となっていた。このために、特に厚みの薄いＢＤの小径記録媒体の情報を読み出すことが困難となる場合があった。
【００１８】
したがって、本発明の目的は、例えば、厚みの薄い小径記録媒体からの情報を確実に読み出すことができる情報処理装置を提供することにある。
【課題を解決するための手段】
【００１９】
前記課題を解決し目的を達成するために、請求項１に記載の本発明は、互いに外径の異なる大径記録媒体と小径記録媒体とのうちいずれかを収容する機器本体と、前記機器本体の内外に搬送される前記いずれかの記録媒体の移動方向を案内するディスクガイドと、前記ディスクガイドとの間に前記いずれかの記録媒体を挟んで、当該記録媒体を前記機器本体の内外に搬送する搬送ローラと、を備えた情報処理装置において、前記ディスクガイドは、前記機器本体に取り付けられる平板状の本体部と、前記本体部から前記搬送ローラに向って凸で、かつ前記機器本体の幅方向に沿って直線状に延在しているとともに、前記機器本体の幅方向の両端部から中央部に向うにしたがって前記本体部からの突出量が少なく形成されたガイドリブと、を備え、前記ガイドリブは、前記機器本体内の正規の位置に位置付けられた小径記録媒体の外縁と当接するとともに、他の部分よりも前記記録媒体の表面に対する傾きが大きく形成された最傾部を備えたことを特徴としている。
【図面の簡単な説明】
【００２０】
【図１】従来の情報処理装置のディスクガイドの正面図である。
【図２】本発明の一実施例にかかるプレーヤ装置の斜視図である。
【図３】図２に示されたプレーヤ装置のシャーシ本体及びクランプ再生ユニットなどを示す斜視図である。
【図４】図２に示されたプレーヤ装置の概略の構成を示すブロック図である。
【図５】図２に示されたプレーヤ装置の機器本体とこの機器本体内の小径ＢＤの位置関係を模式的に示す平面図である。
【図６】図５に示されたプレーヤ装置のディスクガイドの正面図である。
【図７】図５中のＶＩＩ−ＶＩＩ線に沿うディスクガイドの断面図である。
【図８】図５中のＶＩＩＩ−ＶＩＩＩ線に沿うディスクガイドの断面図である。
【図９】図７に示されたディスクガイドの最傾部と小径ＢＤとの接触した箇所を拡大して示す断面図である。
【図１０】比較例としての図１に示された従来のディスクガイドと小径ＢＤとの接触した箇所を拡大して示す断面図である。
【発明を実施するための形態】
【００２１】
以下、本発明の一実施形態にかかる情報処理装置を説明する。本発明の一実施形態にかかる情報処理装置は、ディスクガイドのガイドリブの機器本体の正規の位置に位置付けられた小径記録媒体の外縁が当接する最傾部が、他の部分よりも記録媒体の表面に対する傾きが大きく形成されている。こうすることで、ガイドリブ即ちディスクガイドの厚みが増加すること即ち機器本体の厚みが増加することを防止しながらも、ガイドリブが、搬送ローラとの間に挟んだ小径記録媒体を機器本体の幅方向にそって当該幅方向の中央に向ってより強い力で付勢することとなる。このため、ガイドリブが、搬送ローラとの間により強い力で小径記録媒体を挟むことができ、小径記録媒体を正規の再生位置に位置付けることができる。よって、特に厚みの薄いＢＤの小径記録媒体の情報を確実に読み出すことができる。
【００２２】
また、ディスクガイドは、ガイドリブに加えて当該ガイドリブよりも機器本体の外側に配置された第２ガイドリブも備えているので、小径記録媒体に加えて、第２ガイドリブにより、大径記録媒体も確実に正規の再生位置まで保持することができる。
【実施例】
【００２３】
以下、本発明の一実施例にかかる情報処理装置の一例としてのプレーヤ装置１を、図２ないし図９に基づいて説明する。図２などに示すプレーヤ装置１は、移動体としての自動車のインストルメントパネル（以下、インパネと呼ぶ）などに取り付けられて、外径が例えば１２ｃｍなどの比較的大径な大径記録媒体としての大径ＢＤ２ａと、外径が例えば８ｃｍなどの比較的小径な小径記録媒体としての小径ＢＤ２ｂとを使用者がいずれかを選択して、後述する機器本体３内に収容する。大径ＢＤ２ａと小径ＢＤ２ｂとは、勿論、互いに大きさが異なる。
【００２４】
プレーヤ装置１は、これらの互いに大きさ（外径）の異なるＢＤ２ａ，２ｂを機器本体３内の後述する再生位置に位置させて、これらのＢＤ２ａ，２ｂに記録された情報を取り出して（再生して）、音声として出力する。なお、ＢＤ２ａ，２ｂは、勿論、ディスク形に形成されており、特許請求の範囲に記載された記録媒体をなしているとともに、円板状のコンピュータなどの電子機器で情報を読み取り可能な記録媒体である。
【００２５】
プレーヤ装置１は、図２及び図３に示すように、機器本体３（図２に示す）と、搬送手段としての搬送ユニット５と、クランプ再生手段としてのクランプ再生ユニット６と、連動手段としての連動機構と、制御手段としてのμＣＯＭ４（図４に示す）などを備えている。なお、以下、ＢＤ２ａ，２ｂの表面と搬送ユニット５のＢＤ２ａ，２ｂの搬送方向との双方と平行な図２中の矢印Ｙをプレーヤ装置１の奥行き方向と記し、ＢＤ２ａ，２ｂの表面と平行でかつ前記奥行き方向Ｙと直交する矢印Ｘをプレーヤ装置１の幅方向と記し、ＢＤ２ａ，２ｂの表面と奥行き方向Ｙと幅方向Ｘの全てと直交する矢印Ｚをプレーヤ装置１の厚み方向と記す。
【００２６】
機器本体３は、合成樹脂や金属等からなる図２に示す外側ケース８と、図３に示すシャーシ本体９とを備えている。
【００２７】
外側ケース８は、扁平な箱状に形成されている。外側ケース８の前述したインパネに取り付けると乗員に相対する前面８ａ（図２に示す）には、ＢＤ２ａ，２ｂを出し入れ可能な挿入口１０が一つ設けられている。なお、前面８ａは、外側ケース８即ちプレーヤ装置１がインパネに取り付けられると、該インパネの外側に露出する外側ケース８の一つの面である。
【００２８】
挿入口１０は、外側ケース８の外壁を貫通している。挿入口１０は、内側にＢＤ２ａ，２ｂを通すことができる。挿入口１０を通して、前記ＢＤ２ａ，２ｂは、外側ケース８即ち機器本体３内に収容されたり、該機器本体３内から排出される。即ち、挿入口１０は、ＢＤ２ａ，２ｂを機器本体３に出し入れ自在とする。
【００２９】
さらに、前述した前面８ａには、表示パネル１１と、各種のスイッチ１２とが設けられている。
【００３０】
表示パネル１１は、前面８ａに露出して、使用者に対し各種の情報を表示する表示領域としての表示面を備えている。表示パネル１１は、表示面に再生中のプログラム名等の情報を表示する。
【００３１】
各種のスイッチ１２は、使用者が操作するための操作部を構成している。スイッチ１２が使用者などに操作されることによって、例えば、クランプ再生ユニット６が再生するＢＤ２ａ，２ｂのプログラムの選択やＢＤ２ａ，２ｂの出し入れなどが行われる。
【００３２】
シャーシ本体９は、図３などに示すように、複数の折り曲げられた板金などが互いに取り付けられて構成されている。シャーシ本体９は、図３及び図４に示すように、略平坦な底壁１３と、該底壁１３に間隔をおいて相対する略平坦な天井壁１５と、これらの底壁１３と天井壁１５とに連なる複数の周壁１４と、を備えている。これらの壁１３，１４，１５には、それぞれ、前記シャーシ本体９の軽量化と剛性の確保とのために、複数の開口部が設けられている。
【００３３】
搬送ユニット５は、図４などに示すように、ローラアーム１８と、ディスクガイド１７と、を備えている。ローラアーム１８は、挿入口１０の近傍に配されている。ローラアーム１８は、板金などからなるアーム本体１９と、搬送ローラ２０と、を備えている。
【００３４】
アーム本体１９は、長手方向が幅方向Ｘと平行な帯状に形成されている。アーム本体１９は、当該アーム本体１９自体の幅方向の一方の縁部を中心として底壁１３に回転自在に支持されている。アーム本体１９の回転中心は、幅方向Ｘと平行である。アーム本体１９は、当該アーム本体１９自体の幅方向の他方の縁部が底壁１３から離れる方向即ちディスクガイド１７に近づく方向に、図示しないコイルばねによって付勢されている。
【００３５】
搬送ローラ２０は、アーム本体１９の前記他方の縁部に回転自在に支持されている。搬送ローラ２０の回転中心は、幅方向Ｘと平行である。搬送ローラ２０の一端部には、図示しない歯車が取り付けられている。アーム本体１９の前記他方の縁部が底壁１３から離れた状態において、搬送ローラ２０の歯車は、駆動源としての搬送用モータ３０（図４に示す）などにより回転駆動される歯車３１（図４に示す）と噛み合う。搬送ローラ２０は、前記歯車３１などを介して、搬送用モータ３０の回転駆動力によって回転される。なお、アーム本体１９の前記他方の縁部が底壁１３に近づいた状態において、搬送ローラ２０の歯車は、前述した歯車３１と噛み合わない。
【００３６】
ディスクガイド１７は、板金などからなるガイド本体２１と、該ガイド本体２１に取り付けられた平板状の滑り部材２２と、を備えている。ガイド本体２１は、ガイド本体２１自体の長手方向が幅方向Ｘと平行な帯状に形成されている。ガイド本体２１は、図示しない突出ピンと、該突出ピンが侵入するガイド孔とによって、鉛直方向に沿ってスライド自在にシャーシ本体９に支持されている。滑り部材２２は、摩擦係数の小さい合成樹脂からなる。滑り部材２２は、薄い板状に形成されている。滑り部材２２は、ガイド本体２１のシャーシ本体９の内側に位置する表面に取り付けられている。
【００３７】
滑り部材２２は、図５に示すように、平板状の本体部３６と、この本体部３６から搬送ローラ２０に向って凸に形成されたガイドリブ３７と、前記本体部３６から搬送ローラ２０に向って凸に形成された第２ガイドリブ３８と、を一体に備えている。
【００３８】
本体部３６は、帯板状に形成され、かつその長手方向が幅方向Ｘと平行に配置されて、前記ガイド本体２１に取り付けられている。即ち、本体部３６は、ガイド本体２１を介して機器本体３に取り付けられている。
【００３９】
ガイドリブ３７は、幅方向Ｘに沿って直線状に延在しており、本体部３６の略全長に亘って設けられている。ガイドリブ３７は、図６及び図７に示すように、本体部３６からの突出量が、機器本体３の幅方向Ｘの両端部から中央部に向うにしたがって少なくなるように形成されている。ガイドリブ３７は、図６及び図７に示すように、一対の最傾部３９と、他の部分としての四つの緩やか部４０とを備えている。
【００４０】
一対の最傾部３９は、機器本体３の幅方向Ｘに沿って互いに間隔をあけて配置され、かつ、それぞれ、後述する正規の再生位置に位置付けられた小径ＢＤ２ｂの外縁が接触する位置に配置されている。緩やか部４０のうち二つの緩やか部４０は、一対の最傾部３９よりも機器本体３の幅方向Ｘの外側に配置されている。残りの二つの緩やか部４０は、一対の最傾部３９間に配置されている。前述した一対の最傾部３９及び緩やか部４０を備えることで、ガイドリブ３７は、本体部３６からの突出量が、機器本体３の幅方向Ｘの両端部から中央部に向うにしたがって少なくなるように形成されている。
【００４１】
また、最傾部３９の搬送ローラ２０と相対する表面の前述したＢＤ２ａ，２ｂの表面に対する傾きは、緩やか部４０の搬送ローラ２０と相対する表面の前述したＢＤ２ａ，２ｂの表面に対する傾きよりも大きく形成されている。このために、最傾部３９は、ＢＤ２ａ，２ｂの表面に対する傾きが他の部分としての緩やか部４０よりも大きく形成されている。即ち、最傾部３９は、ガイドリブ３７の中でＢＤ２ａ，２ｂの表面に対する傾きが最も大きな部分をなしている。
【００４２】
第２ガイドリブ３８は、図８に示すように、幅方向Ｘに沿って直線状に延在しており、本体部３６の略全長に亘って設けられている。第２ガイドリブ３８は、ガイドリブ３７と間隔をあけて平行に配置されているとともに、当該ガイドリブ３７よりも奥行き方向ｙの機器本体３の外側寄りに配置されている。第２ガイドリブ３８は、図８に示すように、本体部３６からの突出量が、機器本体３の幅方向Ｘの両端部から中央部に向うにしたがって徐々に少なくなるように形成されている。第２ガイドリブ３８の搬送ローラ２０と相対する表面の前述したＢＤ２ａ，２ｂの表面に対する傾きは、当該第２ガイドリブ３８の全長に亘って一定に形成されている。図示例では、第２ガイドリブ３８のＢＤ２ａ，２ｂの表面に対する傾きは、ガイドリブ３７の緩やか部４０の傾きと略等しく形成されている。
【００４３】
前述した構成のローラアーム１８とディスクガイド１７は、互いに接離自在に設けられ、かつ互いに近づいて互いの間にＢＤ２ａ，２ｂを挟んで、搬送ローラ２０が搬送用モータ３０により回転駆動されることで、機器本体３内外にＢＤ２ａ，２ｂを搬送する。このとき、ディスクガイド１７は、ガイドリブ３７，３８が前述したように傾いているので、当該ガイドリブ３７，３８即ちディスクガイド１７は、ＢＤ２ａ，２ｂを機器本体３の幅方向の中央に案内する。こうして、ディスクガイド１７は、機器本体３の内外に搬送されるＢＤ２ａ，２ｂの移動方向を案内する（幅方向Ｘの中央に案内する）。
【００４４】
クランプ再生ユニット６は、図４などに示すように、キャリッジシャーシ２３と、クランプアーム２４と、を備えている。キャリッジシャーシ２３は、板金などからなるシャーシ本体２５と、該シャーシ本体２５に取り付けられたターンテーブル２６（図４に示す）と、駆動源としてのスピンドルモータ３２と、シャーシ本体２５に取り付けられた図示しないピックアップと、を備えている。
【００４５】
シャーシ本体２５は、略平板状に形成されている。ターンテーブル２６は、シャーシ本体２５に回転自在に支持されている。ターンテーブル２６は、図４に示すように、厚手の円盤状に形成されている。
【００４６】
ターンテーブル２６は、その表面上にＢＤ２ａ，２ｂを載置する。そして、ターンテーブル２６は、シャーシ本体２５に取り付けられたスピンドルモータ３２の駆動力によって、その軸芯回りに回転されることで、ＢＤ２ａ，２ｂを回転させる。スピンドルモータ３２は、キャリッジシャーシ２３に取り付けられている。
【００４７】
ピックアップは、ＢＤ２ａ，２ｂの表面に照射するレーザ光を発生させるレーザダイオードや、ＢＤ２ａ，２ｂの表面にレーザダイオードからのレーザ光を照射する対物レンズ、信号処理部からの支持によりフォーカスやトラッキングを合わせるために対物レンズを駆動するアクチュエータ及びＢＤ２ａ，２ｂから反射された反射光を受ける受光器とを備えて、信号処理部からの指示によりフォーカスやトラッキングを合わせるとともに、ＢＤ２ａ，２ｂに記録された情報を読みとる。
【００４８】
クランプアーム２４は、板金などからなるアーム本体３３と、クランパ３４と、を備えている。アーム本体３３は、略平板状に形成されている。キャリッジシャーシ２３のシャーシ本体２５に、挿入口１０から離れた端部を中心として回転自在に支持されている。アーム本体３３の回転中心は、幅方向Ｘと平行である。アーム本体３３がシャーシ本体２５に近づいた状態では、シャーシ本体２５とアーム本体３３とが略平行になる。
【００４９】
クランパ３４は、ターンテーブル２６に相対する位置に配されている。クランパ３４は、円板状に形成されているとともに、アーム本体３３に回転自在に支持されている。クランパ３４は、アーム本体３３がシャーシ本体２５と略平行な状態となると、ターンテーブル２６との間にＢＤ２ａ，２ｂを挟むことができる。さらに、クランプ再生ユニット６のキャリッジシャーシ２３とクランプアーム２４とは、図示しないばねなどの付勢手段により互いに近づく方向に付勢されている。なお、ターンテーブル２６とクランパ３４との間に挟まれることができるＢＤ２ａ，２ｂの位置を、本発明では、再生位置と呼ぶ。
【００５０】
また、前述した構成のクランプ再生ユニット６は、図示しないゴムなどの弾性体からなるダンパと、コイルばねなどによって、前記機器本体３に対し移動自在にシャーシ本体９内に支持される。クランプ再生ユニット６は、クランプアーム２４のアーム本体３３がキャリッジシャーシ２３に回転自在に支持されることで、これらのキャリッジシャーシ２３とクランプアーム２４とが互いに接離自在に設けられている。クランプ再生ユニット６は、クランプアーム２４とキャリッジシャーシ２３とが互いに近づいて、ターンテーブル２６とクランパ３４との間にＢＤ２ａ，２ｂを挟んで（即ち互いの間にＢＤ２ａ，２ｂを挟んでクランプし）、スピンドルモータ３２及びターンテーブル２６でＢＤ２ａ，２ｂを回転させピックアップで該ＢＤ２ａ，２ｂに記録された情報を読み出す。
【００５１】
そして、クランプ再生ユニット６は、前記自動車の走行中の振動によって機器本体３が振動しても、前記ダンパとコイルばねとによってシャーシ本体９に対し移動する。このように、前記ダンパとコイルばねなどは、前記自動車の走行中の振動などが前記ＢＤ２ａ，２ｂの情報を読み出す作業に悪影響を与えることを防止する。
【００５２】
連動機構は、機器本体３内にＢＤ２ａ，２ｂを収容する前には、搬送ユニット５のローラアーム１８とディスクガイド１７とを互いに近づけ、クランプ再生ユニット６のキャリッジシャーシ２３とクランプアーム２４とを互いに遠ざけておく。
【００５３】
そして、連動機構は、機器本体３内にＢＤ２ａ，２ｂが挿入されて、搬送用モータ３０が回転駆動すると、キャリッジシャーシ２３のターンテーブル２６とクランプアーム２４のクランパ３４との間にＢＤ２ａ，２ｂが挿入される。その後、連動機構は、機器本体３内にＢＤ２ａ，２ｂを収容して、当該ＢＤ２ａ，２ｂが再生位置に位置付けられると、搬送ユニット５のローラアーム１８とディスクガイド１７とを互いに離し、クランプ再生ユニット６のキャリッジシャーシ２３とクランプアーム２４とを互いに近づける。
【００５４】
このように、連動機構は、クランプ再生ユニット６のキャリッジシャーシ２３とクランプアーム２４とが互いに近づくと、搬送ユニット５のローラアーム１８とディスクガイド１７とが互いに離れるとともに、搬送ユニット５のローラアーム１８とディスクガイド１７とが互いに近づくと、クランプ再生ユニット６のキャリッジシャーシ２３とクランプアーム２４とが互いに離れるように、クランプ再生ユニット６と搬送ユニット５とを互いに連動させる。
【００５５】
μＣＯＭ４は、プログラムに従って各種の処理を行う中央処理ユニット（ＣＰＵ）と、ＣＰＵが行う処理のプログラムなどを格納した読み取り専用のメモリであるＲＯＭと、ＣＰＵでの各種の処理過程で利用するワークエリア、各種データを格納するデータ格納エリアなどを有する読み取り書き込み自在のメモリであるＲＡＭなどを内蔵し、これらがバスラインによって互いに接続されている。
【００５６】
μＣＯＭ４は、搬送ユニット５と、クランプ再生ユニット６と、連動機構などと接続しており、スイッチ１２から入力された命令などを示す情報に応じて、これらの動作を制御して、プレーヤ装置１全体の制御を司る。
【００５７】
本実施例によれば、ディスクガイド１７のガイドリブ３７の機器本体３の正規の位置に位置付けられた小径ＢＤ２ａの外縁が当接する最傾部３９が、他の部分としての緩やか部４０よりもＢＤ２ａ，２ｂの表面に対する傾きが大きく形成されている。このために、ガイドリブ３７に最傾部３９と緩やか部４０との双方を設けて、ガイドリブ３７即ちディスクガイド１７の厚みが増加すること即ち機器本体３の厚みが増加することを防止しながらも、ガイドリブ３７が、比較例としての図１０に示された従来のガイドリブ３７が小径ＢＤ２ａを押圧する方向Ａ１（図１０中に矢印で示す）よりも、搬送ローラ２０との間に挟んだ小径ＢＤ２ａを押圧する方向Ａ（図９中に矢印で示す）がより機器本体３の幅方向Ｘの中央に向うこととなる。
【００５８】
このため、本実施例のプレーヤ装置１のディスクガイド１７のガイドリブ３７は、図１０に示された比較例としての従来のガイドリブ１００よりも、機器本体３の幅方向Ｘに沿って当該幅方向Ｘの中央に向ってより強い力で付勢することとなる。このため、ガイドリブ３７が、搬送ローラ２０との間により強い力で小径ＢＤ２ａを挟むことができ、小径ＢＤ２ａを正規の再生位置に位置付けることができる。よって、特に厚みの薄い小径ＢＤ２ａであっても、当該小径ＢＤ２ａの情報を確実に読み出すことができる。
【００５９】
また、ディスクガイド１７は、ガイドリブ３７に加えて当該ガイドリブ３７よりも機器本体３の外側に配置された第２ガイドリブ３８も備えている。このために、小径ＢＤ２ａに加えて、第２ガイドリブ３８により、大径ＢＤ２ａも確実に正規の再生位置まで保持することができる。
【００６０】
前述した実施例によれば、以下のプレーヤ装置１が得られる。
【００６１】
（付記）  互いに外径の異なる大径ＢＤ２ａと小径ＢＤ２ｂとのうちいずれかを収容する機器本体３と、
前記機器本体３の内外に搬送される前記いずれかのＢＤ２ａ，２ｂの移動方向を案内するディスクガイド１７と、
前記ディスクガイド１７との間に前記いずれかのＢＤ２ａ，２ｂを挟んで、当該ＢＤ２ａ，２ｂを前記機器本体３の内外に搬送する搬送ローラ２０と、を備えたプレーヤ装置１において、
前記ディスクガイド１７は、
前記機器本体３に取り付けられる平板状の本体部３６と、
前記本体部３６から前記搬送ローラ２０に向って凸で、かつ前記機器本体３の幅方向Ｘに沿って直線状に延在しているとともに、前記機器本体３の幅方向Ｘの両端部から中央部に向うにしたがって前記本体部３６からの突出量が少なく形成されたガイドリブ３７と、を備え、
前記ガイドリブ３７は、前記機器本体３内の正規の位置に位置付けられた小径ＢＤ２ｂの外縁と当接するとともに、緩やか部４０よりも前記ＢＤ２ａ，２ｂの表面に対する傾きが大きく形成された最傾部３９を備えたことを特徴とするプレーヤ装置１。
【００６２】
付記によれば、ディスクガイド１７のガイドリブ３７の機器本体３の正規の位置に位置付けられた小径ＢＤ２ａの外縁が当接する最傾部３９が、他の部分としての緩やか部４０よりもＢＤ２ａ，２ｂの表面に対する傾きが大きく形成されている。このために、ガイドリブ３７に最傾部３９と緩やか部４０との双方を設けて、ガイドリブ３７即ちディスクガイド１７の厚みが増加すること即ち機器本体３の厚みが増加することを防止しながらも、付記に記載のプレーヤ装置１のディスクガイド１７のガイドリブ３７は、従来のガイドリブ１００よりも、機器本体３の幅方向Ｘに沿って当該幅方向Ｘの中央に向ってより強い力で付勢することとなる。このため、ガイドリブ３７が、搬送ローラ２０との間により強い力で小径ＢＤ２ａを挟むことができ、小径ＢＤ２ａを正規の再生位置に位置付けることができる。よって、特に厚みの薄い小径ＢＤ２ａであっても、当該小径ＢＤ２ａの情報を確実に読み出すことができる。
【００６３】
本発明では、ＢＤ２ａ，２ｂに限らず、種々の記録媒体から情報を読み出す情報処理装置としても良い。勿論、ＢＤ２ａ，２ｂに限らず、種々の記録媒体を複数収容する情報処理装置としても良い。
【００６４】
なお、前述した実施例は本発明の代表的な形態を示したに過ぎず、本発明は、実施例に限定されるものではない。即ち、本発明の骨子を逸脱しない範囲で種々変形して実施することができる。
【符号の説明】
【００６５】
１  プレーヤ装置（情報処理装置）
２ａ  大径ＢＤ（大径記録媒体）
２ｂ  小径ＢＤ（小径記録媒体）
３  機器本体
１７  ディスクガイド
２０  搬送ローラ
３６  本体部
３７  ガイドリブ
３８  第２ガイドリブ
３９  最傾部
４０  緩やか部（他の部分）
Ｘ  幅方向
【図１】
2010225256.tif 000003
【図２】
2010225256.tif 000004
【図３】
2010225256.tif 000005
【図４】
2010225256.tif 000006
【図５】
2010225256.tif 000007
【図６】
2010225256.tif 000008
【図７】
2010225256.tif 000009
【図８】
2010225256.tif 000010
【図９】
2010225256.tif 000011
【図１０】
2010225256.tif 000012